(57)【要約】【課題】安価に製造することができる保持器を提供することである。【解決手段】保持器１３は、転がり軸受に用いられ、転動体としての針状ころ１２を収容する複数のポケット１６と、隣り合うポケット１６の間に位置し、軸方向に延びる複数の柱部１４とを有する樹脂製の保持器１３である。そして、ポケット１６を挟んで隣り合う全ての柱部１４が、隣接する柱部１４から分離された分離部分を含む。これにより、柱部１４を周方向に並べることにより、環状の保持器１３を製造することができる。【選択図】図１
2010144794.tif 000002
【特許請求の範囲】
【請求項１】
転がり軸受に用いられ、転動体を収容する複数のポケットと、隣り合う前記ポケットの間に位置し、軸方向に延びる複数の柱部とを有する樹脂製の保持器であって、
前記ポケットを挟んで隣り合う全ての前記柱部は、隣接する前記柱部から分離された分離部分を含む、保持器。
【請求項２】
前記保持器は、前記各ポケットを取り囲む壁面を有する複数のポケット形成部材と、前記各柱部を形成する複数の柱部形成部材とを含み、
前記分離部分は、前記柱部形成部材を備える、請求項１に記載の保持器。
【請求項３】
隣接する前記ポケット形成部材と前記柱部形成部材とは、互いに嵌合する凹凸部によって接合されている、請求項２に記載の保持器。
【請求項４】
隣接する前記ポケット形成部材と前記柱部形成部材とは、熱溶着によって接合されている、請求項２に記載の保持器。
【請求項５】
前記保持器は、前記各柱部と、前記各柱部の軸方向両端部から周方向に突出する鍔部とを有する複数の鍔付き部材を含み、
前記分離部分は、前記鍔付き部材を備え、
隣接する前記鍔付き部材間には、１つのポケットが形成される、請求項１に記載の保持器。
【請求項６】
隣接する前記鍔付き部材は、互いに嵌合する凹凸部によって接合されている、請求項５に記載の保持器。
【請求項７】
隣接する前記鍔付き部材は、熱溶着によって接合されている、請求項５に記載の保持器。
【請求項８】
前記保持器は、４６ナイロン、６６ナイロン、ポリエーテルエーテルケトンおよびポリフェニレンサルファイドからなる群から選ばれた樹脂製である、請求項１〜７のいずれかに記載の保持器。
【請求項９】
前記保持器を構成する部材は、軸方向に分割されている、請求項１〜８のいずれかに記載の保持器。
【請求項１０】
前記転動体は、ころである、請求項１〜９のいずれかに記載の保持器。
【請求項１１】
複数のころと、
前記複数のころを保持する請求項１〜１０のいずれかに記載の保持器とを備える、保持器付きころ。
【請求項１２】
転動体を収容する複数のポケット、および隣り合う前記ポケットの間に位置して軸方向に延びる複数の柱部を含み、第１の直径を有する第１の保持器と、転動体を収容する複数のポケット、および隣り合う前記ポケットの間に位置して軸方向に延びる複数の柱部を含み、前記第１の直径より大きい第２の直径を有する第２の保持器とを形成可能な保持器セットであって、
前記第１の保持器に対して使用され、隣接する前記柱部から分離された分離部分に備えられ、前記各柱部を形成する複数の第１の柱部形成部材と、
前記第１の柱部形成部材より周方向長さの長い形態であって、前記第２の保持器に対して使用され、隣接する前記柱部から分離された分離部分に備えられ、前記各柱部を形成する複数の第２の柱部形成部材と、
前記第１および第２の保持器に共通して使用され、前記各ポケットを取り囲む壁面を有する複数のポケット形成部材とを備える、保持器セット。
【発明の詳細な説明】
【技術分野】
【０００１】
この発明は、保持器、保持器付きころ、および保持器セットに関し、特に、金型を用いて製造される保持器、このような保持器を備える保持器付きころ、および複数の部材により複数種類の保持器を形成可能な保持器セットに関するものである。
【背景技術】
【０００２】
保持器付きころは、外輪や内輪を含まないタイプの転がり軸受で、複数のころと、複数のころを保持する保持器とから構成されている。保持器は通常、一体型、すなわち、環状の１つの部品から構成されている。このような保持器は、例えば、特開平７−２９３５６９号公報（特許文献１）に開示されている。特許文献１によると、保持器は、樹脂製であって、装置等に組み込んだ際に、軸受構成部材間における金属同士の接触を少なくし、発熱や騒音等の発生を防止することとしている。
【０００３】
ところで、特許文献１に開示されているような樹脂製の保持器は、一般的に、金型を用いて射出成形によって製造される。このような保持器は、例えば、特開２０００−１４５７９０号公報（特許文献２）に開示されている。
【０００４】
特許文献２によると、保持器は、径方向内側に位置する第１の金型と、径方向外側に位置する第２の金型とによって形成される。第１の金型は、円筒形状であって、保持器の内径面を形成する。第２の金型は、ころを収容し、環状に配置されるポケット毎に設けられており、ポケットおよび保持器の外径面に沿った形状である。第２の金型においては、ポケットおよび保持器の外径面を形成する。
【０００５】
そして、第１および第２の金型を組み合わせて、溶融させた樹脂を第１および第２の金型の間に充填して保持器形状を成型したのち、第２の金型を径方向に引き抜くことによって、保持器を形成する。
【特許文献１】特開平７−２９３５６９号公報（図３等）
【特許文献２】特開２０００−１４５７９０号公報（図６等）
【発明の開示】
【発明が解決しようとする課題】
【０００６】
ここで、特許文献２に開示されているように、樹脂製の保持器は、複数の金型を用いて形成される。この場合、環状に連なる保持器形状の部材に対して、金型を径方向に引き抜いてポケットを形成することから、環状に配置されるポケット毎に対応させた形状の金型を準備する必要があり、金型の構造が複雑になってしまう。このような複雑な構造の金型は高価であり、このような高価な金型で製造される保持器も高価になってしまう。
【０００７】
この発明の目的は、安価に製造することができる保持器を提供することである。
【０００８】
この発明の他の目的は、安価に製造することができる保持器付きころを提供することである。
【０００９】
この発明のさらに他の目的は、安価に製造することができる保持器セットを提供することである。
【課題を解決するための手段】
【００１０】
この発明に係る保持器は、転がり軸受に用いられ、転動体を収容する複数のポケットと、隣り合うポケットの間に位置し、軸方向に延びる複数の柱部とを有する樹脂製の保持器であって、ポケットを挟んで隣り合う全ての柱部は、隣接する柱部から分離された分離部分を含む。
【００１１】
これにより、柱部を周方向に並べることにより、環状の保持器を製造することができる。この場合、保持器を製造する際には、柱部の形状に沿った金型を用意すればよい。ここで、柱部は、隣接する柱部から分離された分離部分を含むことから、環状に連なることなく、単純な形状である。したがって、金型の構造においても、保持器を構成する部材の形状に合わせて、単純化することができる。その結果、保持器を安価に製造することができる。
【００１２】
好ましくは、保持器は、各ポケットを取り囲む壁面を有する複数のポケット形成部材と、各柱部を形成する複数の柱部形成部材とを含み、分離部分は、柱部形成部材を備える。こうすることにより、ポケット形成部材と、柱部形成部材とを組み合わせて、保持器を形成することができる。このとき、ポケット形成部材および柱部形成部材のそれぞれの形状は、環状に連なることなく単純であるため、安価に製造することができる。
【００１３】
さらに好ましくは、隣接するポケット形成部材と柱部形成部材とは、互いに嵌合する凹凸部によって接合されている。こうすることにより、互いに嵌合する凹凸部によって、隣接する複数の部材をより確実に接合することができる。
【００１４】
さらに好ましくは、隣接するポケット形成部材と柱部形成部材とは、熱溶着によって接合されている。こうすることにより、熱溶着によって、隣接する複数の部材をより確実に接合することができる。
【００１５】
さらに好ましくは、保持器は、各柱部と、各柱部の軸方向両端部から周方向に突出する鍔部とを有する複数の鍔付き部材を含み、分離部分は、鍔付き部材を備え、隣接する鍔付き部材間には、１つのポケットが形成される。こうすることにより、鍔付き部材を周方向に配置させるのみで、保持器を形成することができる。この場合、鍔付き部材用の１種類のみ金型を用意すればよい。その結果、保持器を安価に製造することができる。
【００１６】
さらに好ましくは、隣接する鍔付き部材は、互いに嵌合する凹凸部によって接合されている。これにより、互いに嵌合する凹凸部によって、隣接する複数の部材をより確実に接合することができる。
【００１７】
さらに好ましくは、隣接する鍔付き部材は、熱溶着によって接合されている。これにより、熱溶着によって、隣接する複数の部材をより確実に接合することができる。
【００１８】
さらに好ましくは、保持器は、４６ナイロン、６６ナイロン、ポリエーテルエーテルケトンおよびポリフェニレンサルファイドからなる群から選ばれた樹脂製である。こうすることにより、保持器の耐熱性や耐久性を向上させることができる。
【００１９】
また、保持器を構成する部材は、軸方向に分割されていてもよい。
【００２０】
一実施形態として、転動体は、ころである。
【００２１】
この発明の他の局面においては、保持器付きころは、複数のころと、複数のころを保持する上記のいずれかに記載の保持器とを備える。このような保持器付きころは、上記した保持器を含むため、安価に製造することができる。
【００２２】
この発明のさらに他の局面においては、転動体を収容する複数のポケット、および隣り合うポケットの間に位置して軸方向に延びる複数の柱部を含み、第１の直径を有する第１の保持器と、転動体を収容する複数のポケット、および隣り合うポケットの間に位置して軸方向に延びる複数の柱部を含み、第１の直径より大きい第２の直径を有する第２の保持器とを形成可能な保持器セットである。そして、第１の保持器に対して使用され、隣接する柱部から分離された分離部分に備えられ、各柱部を形成する複数の第１の柱部形成部材と、第１の柱部形成部材より周方向長さの長い形態であって、第２の保持器に対して使用され、隣接する柱部から分離された分離部分に備えられ、各柱部を形成する複数の第２の柱部形成部材と、第１および第２の保持器に共通して使用され、各ポケットを取り囲む壁面を有する複数のポケット形成部材とを備える。
【００２３】
こうすることにより、第１の直径の保持器は、第１の柱部形成部材と、ポケット形成部材とを組み合わせて製造することができる。また、第２の直径の保持器は、第２の柱部形成部材と、ポケット形成部材とを組み合わせて製造することができる。その結果、ポケット形成部材を共通して使用して、直径の異なる２つの保持器を容易に製造することができる。
【発明の効果】
【００２４】
この発明に係る保持器によると、柱部を周方向に並べることにより、環状の保持器を製造することができる。この場合、保持器を製造する際には、柱部の形状に沿った金型を用意すればよい。ここで、柱部は、隣接する柱部から分離された分離部分を含むことから、環状に連なることなく、単純な形状である。したがって、金型の構造においても、保持器を構成する部材の形状に合わせて、単純化することができる。その結果、保持器を安価に製造することができる。
【００２５】
また、この発明に係る保持器付きころは、上記した保持器を含むため、安価に製造することができる。
【００２６】
また、この発明に係る保持器セットは、第１の直径の保持器は、第１の柱部形成部材と、ポケット形成部材とを組み合わせて製造することができる。また、第２の直径の保持器は、第２の柱部形成部材と、ポケット形成部材とを組み合わせて製造することができる。その結果、ポケット形成部材を共通して使用して、直径の異なる２つの保持器を容易に製造することができる。
【発明を実施するための最良の形態】
【００２７】
以下、この発明の実施の形態を図面を参照して説明する。図１は、この発明の一実施形態に係る保持器１３を保持器付き針状ころ１１に適用した場合であって、保持器付き針状ころ１１を保持器１３の回転軸線方向に垂直な方向に切断した場合の断面図である。なお、以下に示す図においては、理解を容易にする観点から、針状ころ１２をハッチングすることなく図示している。また、保持器付き針状ころ１１の径方向内側には、保持器付き針状ころ１１によって支持される回転軸（図示せず）が配置されており、保持器付き針状ころ１１の径方向外側には、ハウジング（図示せず）等が配置されている。
【００２８】
図１を参照して、保持器付き針状ころ１１は、転動体としての複数の針状ころ１２と、複数の針状ころ１２を保持する保持器１３とを備える。保持器付き針状ころ１１は、内輪や外輪を含まないタイプの転がり軸受である。
【００２９】
保持器１３は、針状ころ１２を収容する複数のポケット１６と、隣り合うポケット１６の間に位置し、軸方向に延びる複数の柱部１４とを有する。ここで、軸方向とは、保持器１３の回転軸線方向を言い、図１において、紙面表裏方向を言う。
【００３０】
保持器１３は、各ポケット１６を取り囲む壁面１６ｂ，１６ｃを有する複数のポケット形成部材１７と、各柱部１４を形成する複数の柱部形成部材１８とを含む。この実施形態においては、１３個のポケット形成部材１７と、１３個の柱部形成部材１８とを含む。ポケット形成部材１７と、柱部形成部材１８とは、周方向に交互に配置されている。
【００３１】
図２は、ポケット形成部材１７を拡大した図である。図３は、図２に示すポケット形成部材１７を図２中の矢印ＩＩＩの方向から見た図である。なお、図２は、図３中のＩＩ−ＩＩで切断した場合の断面図である。また、図３において、矢印Ａにて、軸方向を示し、矢印Ｂにて、軸方向に垂直な方向を示している。
【００３２】
図１〜図３を参照して、ポケット形成部材１７は、軸方向に延びる形状であって、ポケット１６の周方向両側に位置し、隣り合う柱部１４のポケット１６側端部に配置される周方向端部部材１４ａ，１４ｂを含む。すなわち、周方向端部部材１４ａ，１４ｂは、柱部１４を形成するものである。周方向端部部材１４ａ，１４ｂは、針状ころ１２の案内面となり、ポケット１６の周方向両側に位置する周方向壁面１６ｂを含む。また、ポケット形成部材１７は、ポケット１６の軸方向両側に位置し、隣り合う柱部１４を連結する軸方向端部部材１４ｃを含む。軸方向端部部材１４ｃは、ポケット１６の軸方向両側に位置する軸方向壁面１６ｃを含む。
【００３３】
周方向壁面１６ｂには、針状ころ１２の径方向の脱落を防止するためのころ止め部１６ｄ，１６ｅが設けられている。ころ止め部１６ｄは、軸方向両端部に位置し、径方向外側部分が、周方向壁面１６ｂより周方向に突出した形状である。また、ころ止め部１６ｅは、径方向内側部分が、周方向壁面１６ｂより周方向に突出した形状である。これにより、針状ころ１２の径方向の脱落を防止する。
【００３４】
また、ポケット形成部材１７には、柱部形成部材１８と接合する複数の凸部１７ａが設けられている。凸部１７ａは、直方形状であって、ポケット形成部材１７の内径面１７ｂおよび外径面１７ｃと連続することなく、径方向中央部に位置する。また、凸部１７ａは、ポケット形成部材１７の周方向両端面１７ｄ，１７ｅから周方向に突出する形状である。凸部１７ａは、柱部形成部材１８を突き抜けない長さで突出している。また、凸部１７ａは、この実施形態においては、周方向一方側端面１７ｄに、異なる軸方向位置で２箇所、周方向他方側端面１７ｅに、周方向一方側端面１７ｄに設けられているのと同じ軸方向位置で２箇所設けられている。すなわち、凸部１７ａは、１つのポケット形成部材１７につき、計４箇所に設けられている。また、４箇所に設けられている凸部１７ａは、それぞれ同じ形状である。
【００３５】
図４は、柱部形成部材１８を拡大した図である。図５は、図４に示す柱部形成部材１８を図４中の矢印Ｖの方向から見た図である。なお、図４は、図５中のＩＶ−ＩＶで切断した場合の断面図である。
【００３６】
図１および図４〜図５を参照して、柱部形成部材１８は、軸方向に延びる形状であって、柱部１４の周方向中央部に配置される。すなわち、柱部形成部材１８は、柱部１４を形成するものである。柱部形成部材１８は、図４に示すように、軸方向に垂直な方向に切断した場合の断面が、略扇形であって、内径面１８ｂの周方向長さが、外径面１８ｃの周方向長さより短くなっている。
【００３７】
また、柱部形成部材１８には、ポケット形成部材１７に設けられている凸部１７ａに嵌合する形状の凹部１８ａが設けられている。凹部１８ａは、柱部形成部材１８の周方向両端面１８ｄ，１８ｅから周方向に凹む形状である。また、凹部１８ａは、この実施形態においては、周方向一方側端面１８ｄに、凸部１７ａと同じ軸方向および径方向位置で２箇所、周方向他方側端面１８ｅに、凸部１７ａと同じ軸方向および径方向位置で２箇所設けられている。すなわち、凹部１８ａは、１つの柱部形成部材１８につき、凸部１７ａと同じ計４箇所に設けられている。
【００３８】
柱部１４は、柱部形成部材１８と、上記した周方向端部部材１４ａ，１４ｂとを含む。そして、ポケット１６を挟んで隣り合う全ての柱部１４は、隣接する柱部１４から分離された分離部分を含む。分離部分は、柱部形成部材１８を備える構成である。
【００３９】
保持器１３は、ポケット形成部材１７の周方向両端面１７ｄ，１７ｅと、柱部形成部材１８の周方向両端面１８ｄ，１８ｅとを互いに当接させている。そして、凸部１７ａと凹部１８ａとを互いに嵌合させ、ポケット形成部材１７と柱部形成部材１８とを接合し、環状とした形状である。すなわち、保持器１３は、ポケット１６を挟んで隣り合う全ての柱部１４が、隣接する柱部１４から分離された分離部分としての柱部形成部材１８を含むものである。
【００４０】
ここで、ポケット形成部材１７と柱部形成部材１８とを接合して、図１に示す環状の保持器１３を形成する場合について説明する。
【００４１】
まず、ポケット形成部材１７に沿う形状の金型を準備する。ポケット形成部材１７に沿う形状の金型は、凸部１７ａ等を形成可能な形状である。そして、金型を用いて、１３個のポケット形成部材１７を製造する。
【００４２】
次に、柱部形成部材１８に沿う形状の金型を準備する。柱部形成部材１８に沿う形状の金型は、略扇形状である。そして、金型を用いて、１３個の柱部形成部材１８を製造する。
【００４３】
そして、ポケット形成部材１７の周方向一方側端面１７ｅと柱部形成部材１８の周方向一方側端面１８ｄとを当接させ、ポケット形成部材１７の周方向他方側端面１７ｄと柱部形成部材１８の周方向他方側端面１８ｅとを当接させると共に、凸部１７ａと凹部１８ａとを互いに嵌合して、ポケット形成部材１７と柱部形成部材１８とを接合する。このようにして、環状の保持器１３を形成する。
【００４４】
このように、柱部１４を周方向に並べることにより、環状の保持器１３を製造することができる。この場合、保持器１３を製造する際には、ポケット形成部材１７および柱部形成部材１８の形状に沿った金型を用意すればよい。ここで、柱部１４は、隣接する柱部１４から分離された分離部分としての柱部形成部材１８を含むことから、環状に連なることなく、単純な形状である。したがって、金型の構造においても、保持器１３を構成する部材の形状に合わせて、単純化することができる。その結果、保持器１３を安価に製造することができる。
【００４５】
また、このような保持器付き針状ころ１１は、上記した保持器１３を含むため、安価に製造することができる。
【００４６】
また、ポケット形成部材１７と、柱部形成部材１８とを組み合わせて、保持器１３を形成することができる。このとき、ポケット形成部材１７および柱部形成部材１８のそれぞれの形状は、環状に連なることなく、単純であるため、安価に製造することができる。
【００４７】
また、ポケット形成部材１７に凸部１７ａを設け、柱部形成部材１８に凹部１８ａを設けることにより、互いに嵌合する凹凸部１７ａ，１８ａによって、隣接する複数の部材をより確実に接合することができる。また、このような凹凸部１７ａ，１８ａは、ポケット形成部材１７および柱部形成部材１８の軸方向および径方向の移動を規制することができる。
【００４８】
なお、上記の実施の形態においては、ポケット形成部材１７において凸部１７ａを設け、柱部形成部材１８において凹部１８ａを設けることにより、凸部１７ａを凹部１８ａに嵌合して、ポケット形成部材１７と柱部形成部材１８とを接合し、環状の保持器１３を形成する例について説明したが、これに限ることなく、凸部１７ａおよび凹部１８ａを設けることなく、平らな形状であってもよい。この場合、ポケット形成部材１７と柱部形成部材１８とを接着剤等で接合してもよいし、熱溶着によって接合してもよい。このような場合であっても、隣接する複数の部材をより確実に接合することができる。
【００４９】
また、上記の実施の形態においては、凸部１７ａと凹部１８ａとをそれぞれ計４箇所に設ける例について説明したが、これに限ることなく、例えば、周方向一方側端面の１箇所に設けてもよいし、何箇所でもよい。
【００５０】
また、上記の実施の形態においては、凸部１７ａをポケット形成部材１７に設け、凹部１８ａを柱部形成部材１８に設ける例について説明したが、これに限ることなく、凸部を柱部形成部材に設け、凹部をポケット形成部材に設けてもよい。
【００５１】
また、上記の実施の形態においては、ポケット形成部材１７と、柱部形成部材１８とは、周方向に交互に配置されている例について説明したが、これに限ることなく、例えば、隣り合うポケット形成部材１７間に、２つの柱部形成部材１８が配置されてもよい。
【００５２】
また、上記の実施の形態においては、ポケット形成部材１７および柱部形成部材１８は、軸方向に延びる形状である例について説明したが、これに限ることなく、軸方向に垂直な方向に切断することによって、軸方向に分割されてもよい。また、軸方向に傾斜した方向に切断することによって、軸方向に分割されてもよい。
【００５３】
また、上記の実施の形態においては、凸部１７ａは、直方形状である例について説明したが、これに限ることなく、円柱形状や、他の形状であってもよい。
【００５４】
また、保持器１３は、樹脂製であって、例えば、４６ナイロンや、６６ナイロンや、ポリエーテルエーテルケトン（ＰＥＥＫ）や、ポリフェニレンサルファイド（ＰＰＳ）からなる群から選ばれた樹脂製であってもよい。こうすることにより、保持器１３の耐熱性や耐久性を向上させることができる。
【００５５】
なお、保持器付き針状ころ１１においては、回転軸の大きさが異なることによって、若干、内接円径の異なる保持器１３が要求される場合がある。この場合、上記した構成の保持器１３によると、内接円径の異なる保持器１３を容易に形成することができる。
【００５６】
ここで、このような内接円径の異なる保持器１３を容易に形成可能な保持器セットについて説明する。保持器セットとは、複数の部材により複数種類の保持器を形成可能なセットである。ここでは、第１の保持器、および第２の保持器の２種類の保持器を形成可能な保持器セットについて説明する。
【００５７】
第１の保持器は、上記した保持器１３であって、第１の直径を有する。ここで、直径とは、保持器の内接円径を指すものとする。第１の保持器１３は、１３個のポケット形成部材１７および１３個の柱部形成部材１８から構成されている。
【００５８】
第２の保持器は、第１の直径より大きい第２の直径を有する。図６は、第２の保持器２３を保持器付き針状ころ２１に適用した場合であって、保持器付き針状ころ２１を軸方向に垂直な方向に切断した場合の断面図である。
【００５９】
第２の保持器２３は、第１の保持器１３の柱部形成部材１８のみが異なる形態である。したがって、第２の保持器２３を示す図においては、柱部形成部材２８のみ符号をかえ、他の部材においては、第１の保持器１３と同じ番号を付している。図７は、柱部形成部材２８を拡大した図である。図８は、図７に示す柱部形成部材２８を図７中の矢印ＶＩＩＩの方向から見た図である。なお、図７は、図８中のＶＩＩ−ＶＩＩで切断した場合の断面図である。
【００６０】
図１〜図８を参照して、柱部形成部材２８は、第１の保持器１３の柱部形成部材１８より周方向長さの長い形状である。第２の保持器２３の柱部形成部材２８の内径面２８ｂの周方向長さをＬ２とし、第１の保持器１３の柱部形成部材１８の内径面１８ｂの周方向長さをＬ１とすると、Ｌ１＜Ｌ２となる。なお、図においては、内径面１８ｂ，２８ｂおよび外径面１８ｃ，２８ｃの曲線を誇張して示している。
【００６１】
ここで、第１の保持器１３を形成する場合について説明する。まず、第１の保持器１３の柱部形成部材１８を準備する。また、ポケット形成部材１７を準備する。そして、上記したように、ポケット形成部材１７の周方向一方側端面１７ｅと柱部形成部材１８の周方向一方側端面１８ｄとを当接させると共に、凸部１７ａと凹部１８ａとを互いに嵌合して、ポケット形成部材１７と柱部形成部材１８とを接合し、環状の第１の保持器１３を形成する。このとき、第２の保持器２３の柱部形成部材２８は、使用しない。
【００６２】
また、第２の保持器２３を形成する場合について説明する。まず、第２の保持器２３の柱部形成部材２８を準備する。また、ポケット形成部材１７を準備する。そして、第１の保持器１３と同様に、ポケット形成部材１７の周方向一方側端面１７ｅと柱部形成部材２８の周方向一方側端面２８ｄとを当接させると共に、凸部１７ａと凹部２８ａとを互いに嵌合して、ポケット形成部材１７と柱部形成部材２８とを接合し、環状の第２の保持器２３を形成する。このとき、第１の保持器１３の柱部形成部材１８は、使用しない。
【００６３】
すなわち、保持器セットは、第１の保持器１３に対して使用される第１の柱部形成部材としての柱部形成部材１８と、第２の保持器２３に対して使用される第２の柱部形成部材としての柱部形成部材２８と、第１および第２の保持器１３，２３に共通して使用されるポケット形成部材１７とを備える。
【００６４】
こうすることにより、第１の直径の保持器１３は、第１の柱部形成部材１８と、ポケット形成部材１７とを組み合わせて製造することができる。また、第２の直径の保持器２３は、第２の柱部形成部材２８と、ポケット形成部材１７とを組み合わせて製造することができる。その結果、ポケット形成部材１７を共通して使用して、直径の異なる２つの保持器１３，２３を容易に製造することができる。
【００６５】
なお、上記の実施の形態においては、直径は、保持器の内接円径を指す例について説明したが、これに限ることなく、例えば、保持器の外接円径であってもよい。
【００６６】
次に、この発明の他の実施形態に係る保持器について説明する。図９は、この発明の他の実施形態に係る保持器３３の一部を示す図である。図１０は、図９に示す保持器３３を矢印Ｘの方向から見た図である。なお、図９は、図１０中のＩＸ−ＩＸで切断した場合の断面図である。
【００６７】
図９および図１０を参照して、保持器３３は、針状ころ３２を収容する複数のポケット３６と、隣り合うポケット３６の間に位置し、軸方向に延びる複数の柱部３４とを有する。
【００６８】
保持器３３は、複数の鍔付き部材３７を含む。鍔付き部材３７とは、各柱部３４と、各柱部３４を連結し、各柱部３４の軸方向両端部から周方向一方側および周方向他方側に突出する鍔部３８とを有する構成である。鍔付き部材３７は、周方向に配置されている。
【００６９】
鍔部３８は、柱部３４の軸方向両端部から周方向一方側および周方向他方側に突出する形状である。周方向一方側に設けられている鍔部３８には、隣接する鍔付き部材３７と接合する複数の凸部３８ａが設けられている。凸部３８ａは、直方形状であって、鍔部３８の周方向一方側端面３８ｅから、周方向一方側に突出するように設けられている。凸部３８ａは、鍔部３８を突き抜けない長さで突出している。凸部３８ａは、この実施形態においては、軸方向両端部に設けられている。すなわち、凸部３８ａは、１つの鍔付き部材３７につき、計２箇所に設けられている。また、２箇所に設けられている凸部３８ａは、それぞれ同じ形状である。
【００７０】
また、周方向他方側に設けられている鍔部３８には、凸部３８ａに嵌合する形状の凹部３８ｂが設けられている。凹部３８ｂは、鍔部３８の周方向他方側端面３８ｄから、周方向一方側に凹む形状である。すなわち、凹部３８ｂは、凸部３８ａと突出する方向と同一の方向に凹んでいる。また、凹部３８ｂは、軸方向両端部に設けられている。すなわち、凹部３８ｂは、１つの鍔付き部材３７につき、凸部３８ａと同じ計２箇所に設けられている。
【００７１】
鍔付き部材３７は、軸方向に延びる形状であって、周方向に配置した際に、隣接する鍔付き部材３７間で、１つのポケット３６を形成する。具体的には、隣接する鍔部３８により形成されるポケット３６の軸方向両側に位置する軸方向壁面３６ｃと、ポケット３６の周方向両側に位置する周方向壁面３６ｂとによって、ポケット３６を形成する。
【００７２】
周方向壁面３６ｂには、針状ころ３２の径方向の脱落を防止するためのころ止め部３６ｄ，３６ｅが設けられている。ころ止め部３６ｄは、軸方向端部に位置し、径方向外側部分が、周方向壁面３６ｂより周方向に突出した形状である。また、ころ止め部３６ｅは、径方向内側部分が、周方向壁面３６ｂより周方向に突出した形状である。これにより、針状ころ３２の径方向の脱落を防止する。
【００７３】
鍔付き部材３７は、柱部３４を形成するものである。したがって、ポケット３６を挟んで隣り合う全ての柱部３４は、隣接する柱部３４から分離された分離部分を含む。分離部分は、鍔付き部材３７を備える構成である。
【００７４】
保持器３３は、鍔部３８の周方向両端面３８ｄ，３８ｅを互いに当接させている。そして、凸部３８ａと凹部３８ｂとを互いに嵌合させ、隣接する鍔付き部材３７を接合し、環状とした形状である。すなわち、保持器３３は、ポケット３６を挟んで隣り合う全ての柱部３４が、隣接する柱部３４から分離された分離部分としての鍔付き部材３７を含むものである。
【００７５】
こうすることにより、鍔付き部材３７を周方向に配置させるのみで、保持器３３を形成することができる。この場合、鍔付き部材３７用の１種類のみ金型を用意すればよい。その結果、保持器３３を安価に製造することができる。
【００７６】
なお、上記の実施の形態においては、鍔付き部材３７は、軸方向に延びる形状である例について説明したが、これに限ることなく、軸方向に垂直な方向に切断することによって、軸方向に分割されてもよい。また、軸方向に傾斜した方向に切断することによって、軸方向に分割されてもよい。こうすることにより、保持器３３を構成する部材の形状をより単純化することができる。
【００７７】
また、上記の実施の形態においては、鍔付き部材３７において凸部３８ａおよび凹部３８ｂを設けることにより、凸部３８ａを凹部３８ｂに嵌合して、環状の保持器３３を形成する例について説明したが、これに限ることなく、凸部３８ａおよび凹部３８ｂを設けることなく、平らな形状であってもよい。この場合、隣接する鍔付き部材３７を接着剤等で接合してもよいし、熱溶着によって接合してもよい。このような場合であっても、隣接する複数の部材をより確実に接合することができる。
【００７８】
また、上記の実施の形態においては、凹部３８ｂは、凸部３８ａと突出する方向と同一の方向に凹んでいる例について説明したが、これに限ることなく、例えば、一方の鍔付き部材においては、凸部が、周方向両側に突出し、他方の鍔付き部材においては、凹部が、周方向両側に凹むように設けてもよい。このような場合であっても、凸部を凹部に嵌合して、環状の保持器を形成することができる。
【００７９】
また、上記の実施の形態においては、凸部３８ａは、直方形状である例について説明したが、これに限ることなく、円柱形状や、他の形状であってもよい。
【００８０】
次に、この発明のさらに他の実施形態に係る保持器について説明する。図１１は、この発明のさらに他の実施形態に係る保持器４３の一部を示す図である。図１２は、図１１に示す保持器４３を矢印ＸＩＩの方向から見た図である。なお、図１１は、図１２中のＸＩ−ＸＩで切断した場合の断面図である。
【００８１】
図１１および図１２を参照して、保持器４３は、針状ころ４２を収容する複数のポケット４６と、隣り合うポケット４６の間に位置し、軸方向に延びる複数の柱部４４とを有する。
【００８２】
保持器４３は、１つのポケット４６を挟んで隣り合う一対の柱部４４を有するように、周方向に分割された形状の複数のポケット付き部材４９を含む。ポケット付き部材４９は、２つの軸方向分割部材５０ａ，５０ｂを有する。
【００８３】
軸方向分割部材５０ａは、一対の柱部４４を軸方向に垂直な方向に切断されることによって、軸方向に２分割された形状の一対の柱部分割部材４７ａを含む構成である。また、軸方向分割部材５０ａは、一対の柱部分割部材４７ａの分割面４７ｃと異なる軸方向端部であって、一対の柱部分割部材４７ａのうちの一方側と他方側とを連結する連結部４８を含む構成である。
【００８４】
なお、軸方向分割部材５０ｂについても同様に、一対の柱部４４を軸方向に垂直な方向に切断されることによって、軸方向に２分割された形状の一対の柱部分割部材４７ｂを含む構成である。また、軸方向分割部材５０ｂは、一対の柱部分割部材４７ｂの分割面４７ｄと異なる軸方向端部であって、一対の柱部分割部材４７ｂのうちの一方側と他方側とを連結する連結部４８を含む構成である。
【００８５】
２つの軸方向分割部材５０ａ，５０ｂは、２つの一対の柱部分割部材４７ａ，４７ｂの分割面４７ｃ，４７ｄが互いに当接した状態で、軸方向に配置されている。また、２つの軸方向分割部材５０ａ，５０ｂは、軸方向に配置した際に、ポケット付き部材４９を形成する。ポケット付き部材４９は、周方向に配置されている。
【００８６】
２つの一対の柱部分割部材４７ａ，４７ｂは、同じ軸方向位置で２分割されている。
【００８７】
連結部４８は、分割面４７ｃ，４７ｄと異なる軸方向端部にそれぞれ位置する。連結部４８には、軸方向分割部材５０ａを周方向に配置した際に、隣接する軸方向分割部材５０ａと接合する凸部４８ａが設けられている。軸方向分割部材５０ｂにおいても同様である。凸部４８ａは、直方形状であって、連結部４８の周方向一方側端面４８ｄから、周方向一方側に突出するように設けられている。凸部４８ａは、連結部４８を突き抜けない長さで突出している。凸部４８ａは、１つの軸方向分割部材５０ａにつき、１箇所に設けられている。
【００８８】
また、連結部４８には、凸部４８ａに嵌合する形状の凹部４８ｂが設けられている。凹部４８ｂは、連結部４８の周方向他方側端面４８ｅから、周方向一方側に凹む形状である。すなわち、凹部４８ｂは、凸部４８ａと突出する方向と同一の方向に凹んでいる。また、凹部４８ｂは、１つの軸方向分割部材５０ａにつき、凸部４８ａと同じ１箇所に設けられている。
【００８９】
２つの軸方向分割部材５０ａ，５０ｂは、軸方向に配置した際に、ポケット４６を形成する。具体的には、一対の柱部分割部材４７ａ，４７ｂの分割面４７ｃ，４７ｄを当接させて形成されるポケット４６の周方向両側に位置する周方向壁面４６ｂと、ポケット４６の軸方向両側に位置する軸方向壁面４６ｃとによって、ポケット４６を形成する。
【００９０】
周方向壁面４６ｂには、針状ころ４２の径方向の脱落を防止するためのころ止め部４６ｄ，４６ｅが設けられている。ころ止め部４６ｄは、軸方向端部に位置し、径方向外側部分が、周方向壁面４６ｂより周方向に突出した形状である。また、ころ止め部４６ｅは、径方向内側部分が、周方向壁面４６ｂより周方向に突出した形状である。これにより、針状ころ４２の径方向の脱落を防止する。
【００９１】
保持器４３は、一対の柱部分割部材４７ａ，４７ｂの分割面４７ｃ，４７ｄを互いに当接させて、例えば、熱溶着することにより、軸方向に配置された２つの軸方向分割部材５０ａ，５０ｂを接合する。さらに、連結部４８の周方向両端面４８ｄ，４８ｅを互いに当接させた状態で、凸部４８ａと凹部４８ｂとを互いに嵌合させることにより、周方向に配置されたポケット付き部材４９を接合する。これにより、保持器４３は、環状とした形状である。
【００９２】
こうすることにより、ポケット付き部材４９を周方向に並べることにより、環状の保持器４３を製造することができる。この場合、保持器４３を製造する際には、分離した部材の形状に沿った金型を用意すればよい。ここで、ポケット付き部材４９は、環状に連なることなく、２つの軸方向分割部材５０ａ，５０ｂに分離された単純な形状である。したがって、金型の構造においても、保持器４３を構成する部材の形状に合わせて、単純化することができる。その結果、保持器４３を安価に製造することができる。
【００９３】
なお、上記の実施の形態においては、２つの軸方向分割部材５０ａ，５０ｂは、一対の柱部４４を軸方向に垂直な方向に切断されることによって、軸方向に２分割されている例について説明したが、これに限ることなく、必ずしも厳密に軸方向に垂直な方向に切断する必要はなく、軸方向に傾斜した方向に切断されてもよい。
【００９４】
また、上記の実施の形態においては、一対の柱部分割部材４７ａ，４７ｂの分割面４７ｃ，４７ｄを互いに当接させて、熱溶着することにより、軸方向に配置された２つの軸方向分割部材５０ａ，５０ｂを接合する例について説明したが、これに限ることなく、分割面４７ｃ，４７ｄのうちの一方側に凸部を設け、他方側に凹部を設けることにより、凸部と凹部とを互いに嵌合させて、接合してもよい。
【００９５】
また、上記の実施の形態においては、一対の柱部分割部材４７ａ，４７ｂは、同じ軸方向位置で２分割されている例について説明したが、これに限ることなく、異なる軸方向位置で２分割されてもよい。
【００９６】
また、上記の実施の形態においては、凸部４８ａは、直方形状である例について説明したが、これに限ることなく、円柱形状や、他の形状であってもよい。
【００９７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００９８】
この発明は、金型を用いて製造される保持器、保持器付きころ、および保持器セットに有効に利用される。
【図面の簡単な説明】
【００９９】
【図１】この発明の一実施形態に係る保持器を保持器付き針状ころに適用した場合であって、保持器付き針状ころを保持器の回転軸線に垂直な方向に切断した場合の断面図である。
【図２】ポケット形成部材を拡大した図である。
【図３】図２に示すポケット形成部材を図２中の矢印ＩＩＩの方向から見た図である。
【図４】柱部形成部材を拡大した図である。
【図５】図４に示す柱部形成部材を図４中の矢印Ｖの方向から見た図である。
【図６】第２の保持器を保持器付き針状ころに適用した場合であって、保持器付き針状ころを軸方向に垂直な方向に切断した場合の断面図である。
【図７】柱部形成部材を拡大した図である。
【図８】図７に示す柱部形成部材を図７中の矢印ＶＩＩＩの方向から見た図である。
【図９】この発明の他の実施形態に係る保持器の一部を示す図である。
【図１０】図９に示す保持器を矢印Ｘの方向から見た図である。
【図１１】この発明のさらに他の実施形態に係る保持器の一部を示す図である。
【図１２】図１１に示す保持器を矢印ＸＩＩの方向から見た図である。
【符号の説明】
【０１００】
１１，２１  保持器付き針状ころ、１２，３２，４２  針状ころ、１３，２３，３３，４３  保持器、１４，２４，３４，４４  柱部、１４ａ，１４ｂ  周方向端部部材、１４ｃ  軸方向端部部材、１６，３６，４６  ポケット、１６ｂ，１６ｃ，３６ｂ，３６ｃ，４６ｂ，４６ｃ  壁面、１６ｄ，３６ｄ，４６ｄ  ころ止め部、１７  ポケット形成部材、１７ａ，３８ａ，４８ａ  凸部、１８，２８  柱部形成部材、１８ａ，２８ａ，３８ｂ，４８ｂ  凹部、１７ｄ，１７ｅ，１８ｄ，１８ｅ，２８ｄ，２８ｅ，３８ｄ，３８ｅ，４８ｄ，４８ｅ  端面、１７ｂ，１８ｂ，２８ｂ  内径面、１７ｃ，１８ｃ，２８ｃ  外径面、３７  鍔付き部材、３８  鍔部、４７ａ，４７ｂ  柱部分割部材、４７ｃ，４７ｄ  分割面、４８  連結部、４９  ポケット付き部材、５０ａ，５０ｂ  軸方向分割部材。
【図１】
2010144794.tif 000003
【図２】
2010144794.tif 000004
【図３】
2010144794.tif 000005
【図４】
2010144794.tif 000006
【図５】
2010144794.tif 000007
【図６】
2010144794.tif 000008
【図７】
2010144794.tif 000009
【図８】
2010144794.tif 000010
【図９】
2010144794.tif 000011
【図１０】
2010144794.tif 000012
【図１１】
2010144794.tif 000013
【図１２】
2010144794.tif 000014